(57)【特許請求の範囲】
【請求項１】
集水枡へと送水される水を、当該水が集水枡に至る前段階において貯留して浄化する浸透貯留槽を備え、
前記浸透貯留槽は、
前記浸透貯留槽の底部に配設された送水管であって、浸透貯留槽の内部に浸透した水を、当該送水管に設けられた導水孔を介して管内に導水して前記浸透貯留槽の外部まで送水する送水管と、
前記送水管を覆うように構成された下部層であって、前記導水孔の径よりも大きい径の粒子を含んで構成された下部層と、
前記下部層の上方に積層された中間層であって、水を浄化可能な浄化土壌を含んで構成された中間層と、
前記中間層の上方に積層された上部層であって、前記中間層の粒子よりも大きい径の粒子を含んで構成された上部層と、
前記集水枡の内部に設けられた制御手段であって、前記集水枡から前記送水管を介して前記浸透貯留槽へと水が逆流不可能な状態とする制御手段と、を有する、
貯留浄化システム。
【請求項２】
前記浸透貯留槽は、第一浸透貯留槽及び第二浸透貯留槽を備え、
前記第一浸透貯留槽の前記送水管から前記第一浸透貯留槽の外部に送水された水が、前記第二浸透貯留槽に流入するように構成される、
請求項１に記載の貯留浄化システム。
【請求項３】
前記第二浸透貯留槽は、前記第一浸透貯留槽と同一の建築物における、前記第一浸透貯留槽よりも下方の階に配置される、
請求項２に記載の貯留浄化システム。
【請求項４】
前記制御手段は、前記集水枡から前記送水管を介して前記浸透貯留槽へと水が逆流可能な状態と、逆流不可能な状態とを相互に切り換え可能とする、
請求項１に記載の貯留浄化システム。
【発明の詳細な説明】
【技術分野】
【０００１】
本発明は、貯留浄化システムに関する。
【背景技術】
【０００２】
従来、生態系を活用した防災・減災、社会資本整備の市場、いわゆるグリーンインフラストラクチャー市場において、降雨時に雨水を浸透貯留槽に一時的に貯留し、浸透貯留槽において浄化した雨水を集水枡へと送水するシステムが提案されている（例えば、特許文献１参照）。このようなシステムによれば、地表の雨水を下水へ直接流す代わりに地中に浸透させるので、樹木や地下水の滋養等として水を循環させることができると共に、土壌の浸食防止や豪雨時のピークカットを行うことができる。さらに、雨水を地中に浸透させる際に、浸透貯留槽で雨水から汚染物質を取り除くことにより、水質を改善することができると共に、生態系の保全も行うことができる。
【先行技術文献】
【特許文献】
【０００３】
【特許文献１】特開２０１２−１８３４９４号公報
【発明の概要】
【発明が解決しようとする課題】
【０００４】
しかしながら、上記の特許文献１のようなシステムでは、浸透貯留槽における上部層の部分を、砂や砂よりも細かい粒径の粒子で構成するので、この細かい粒子間に雨水中の汚濁が入りこんだ場合、当該汚濁を除去することが困難であった。したがって、水が集水枡に至る前段階において水の貯留及び浄化を行うことができると共に、浸透貯留槽の内部に入り込んだ汚濁を容易に除去可能となる貯留浄化システムが要望されていた。
【０００５】
本発明は、上記に鑑みてなされたものであって、水が集水枡に至る前段階において水の貯留及び浄化を行うことができると共に、浸透貯留槽の内部に入り込んだ汚濁を容易に除去可能となる貯留浄化システムを提供することを目的とする。
【課題を解決するための手段】
【０００６】
上述した課題を解決し、目的を達成するために、請求項１に記載の貯留浄化システムは、集水枡へと送水される水を、当該水が集水枡に至る前段階において貯留して浄化する浸透貯留槽を備え、前記浸透貯留槽は、前記浸透貯留槽の底部に配設された送水管であって、浸透貯留槽の内部に浸透した水を、当該送水管に設けられた導水孔を介して管内に導水して前記浸透貯留槽の外部まで送水する送水管と、前記送水管を覆うように構成された下部層であって、前記導水孔の径よりも大きい径の粒子を含んで構成された下部層と、前記下部層の上方に積層された中間層であって、水を浄化可能な浄化土壌を含んで構成された中間層と、前記中間層の上方に積層された上部層であって、前記中間層の粒子よりも大きい径の粒子を含んで構成された上部層と、前記集水枡の内部に設けられた制御手段であって、前記集水枡から前記送水管を介して前記浸透貯留槽へと水が逆流不可能な状態とする制御手段と、を有する。
【０００８】
請求項２に記載の貯留浄化システムは、請求項１に記載の貯留浄化システムにおいて、前記浸透貯留槽は、第一浸透貯留槽及び第二浸透貯留槽を備え、前記第一浸透貯留槽の前記送水管から前記第一浸透貯留槽の外部に送水された水が、前記第二浸透貯留槽に流入するように構成される。
【０００９】
請求項３に記載の貯留浄化システムは、請求項２に記載の貯留浄化システムにおいて、前記第二浸透貯留槽は、前記第一浸透貯留槽と同一の建築物における、前記第一浸透貯留槽よりも下方の階に配置される。
【００１０】
請求項４に記載の貯留浄化システムは、請求項１に記載の貯留浄化システムにおいて、前記制御手段は、前記集水枡から前記送水管を介して前記浸透貯留槽へと水が逆流可能な状態と、逆流不可能な状態とを相互に切り換え可能とする。
【発明の効果】
【００１１】
請求項１に記載の貯留浄化システムによれば、送水管、下部層、中間層、及び上部層を有する浸透貯留槽を備え、上部層を中間層よりも大きい径の粒子を含んで構成するので、水が集水枡に至る前段階において水の貯留及び浄化を行うことができると共に、浸透貯留槽の内部に入り込んだ汚濁を容易に除去可能となる。また、制御手段が、浸透貯留槽へと水が逆流不可能な状態とするので、集水枡の内部の浄化されていない水が浸透貯留槽に逆流してしまうことを防止することが可能であると共に、集水枡の内部という、浸透貯留槽の底部よりも外部からアクセスし易い位置に制御手段を配置するので、制御手段のメンテナンス性を向上させることが可能となる。また、集中豪雨が予想される数時間前に、（豪雨発生前に浸透貯留槽内に水があれば）、事前に集水枡の内部の水を空にしておくことで、排水を始めて待機し、豪雨時には、浸透貯留槽や植栽される植物の涵養能力で、下流側へ与える負荷を軽減することも可能となる。
【００１３】
請求項２に記載の貯留浄化システムによれば、第一浸透貯留槽の送水管から第一浸透貯留槽の外部に送水された水が、第二浸透貯留槽に流入するように構成するので、浸透貯留槽を複数箇所に分散配置してそれぞれの浸透貯留槽を小型化することが可能となると共に、第一浸透貯留槽で浄化済みの水を第二浸透貯留槽に取り入れることができ、第二浸透貯留槽における目詰まりの発生等を防止できる。
【００１４】
請求項３に記載の貯留浄化システムによれば、第二浸透貯留槽を、第一浸透貯留槽と同一の建築物における、第一浸透貯留槽よりも下方の階に配置するので、浸透貯留槽により浄化された水が、建築物の上階から下階に向かって流れる構成とすることができる。
【００１５】
請求項４に記載の貯留浄化システムによれば、制御手段が、浸透貯留槽へと水が逆流可能な状態とすることができるので、浸透貯留槽に水を溢れさせて浸透貯留槽の汚濁を浮かせることにより、浸透貯留槽を洗浄することが可能となる。
【図面の簡単な説明】
【００１６】
【図１】本発明の実施の形態に係る貯留浄化システムを概略的に示す断面図である。
【図２】図１のＡ−Ａ断面を中心とする断面斜視図である。
【図３】逆止弁の作用を説明するための図１におけるＡ−Ａ断面図であって、図３（ａ）は通常時、図３（ｂ）は逆洗時を示す図である。
【図４】施工方法のフローチャートである。
【図５】変形例に係る貯留浄化システムを示す図である。
【発明を実施するための形態】
【００１７】
以下に添付図面を参照して、この発明に係る貯留浄化システムの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１８】
〔Ｉ〕実施の形態の基本的概念
まず、実施の形態の基本的概念について説明する。実施の形態は、集水枡へと送水される水を、当該水が集水枡に至る前段階において貯留して浄化する貯留浄化システムに関する。ここで、「水」とは、主には雨水であるが、これに限らず任意の事象に基づいて発生した水を含む概念である。また、「貯留」とは、水を留めることであって、留める期間や量は限定されない。また、「浄化」とは、水に含まれる不純物を水から除去することである。なお、「不純物」とは、水以外のあらゆる物を含む概念であり、例えば汚濁、植物、又は化学物質等を含む概念である。
【００１９】
〔ＩＩ〕実施の形態の具体的内容
次に、本実施の形態の具体的内容について説明する。
【００２０】
（構成）
初めに、本実施の形態に係る貯留浄化システム１の構成について説明する。図１は、本実施の形態に係る貯留浄化システム１を概略的に示す断面図である。また、図２は、図１のＡ−Ａ断面を中心とする断面斜視図である。これらの図１及び図２に示すように、貯留浄化システム１は、浸透貯留槽２、及び集水枡３を備えている。ここで、以下では、必要に応じて、各図におけるＸ−Ｘ’方向を「幅方向」と称し、特にＸ方向を「右方向」、Ｘ’方向を「左方向」と称する。また、Ｙ−Ｙ’方向を「奥行き方向」と称し、特にＹ方向を「前方向」、Ｙ’方向を「後方向」と称する。また、Ｚ−Ｚ’方向を「高さ方向」、「深さ方向」、又は「厚み方向」と称し、特にＺ方向を「上方向」、Ｚ’方向を「下方向」と称する。また、地表面４よりも上方を「地上」、地表面４よりも下方を「地中」と称する。また、図示のように浸透貯留槽２及び集水枡３は地中に埋設されており、地中におけるこれらを除く部分には土壌が位置している。ここで、「土壌」とは、岩石の風化等で生成された無機物や、生物の死骸等の有機物や、この有機物が微生物等の作用で分解されて生成された有機物等を含み、粒子径は限定されない。なお、図１では水位を逆三角形で図示している。また、図２や後述する図５においては、水の流れを点線の矢印で図示している。
【００２１】
（構成−浸透貯留槽）
浸透貯留槽２は、集水枡３へと送水される水を、当該水が集水枡３に至る前段階において貯留して浄化する浸透貯留手段である。この浸透貯留槽２は、設置対象箇所を掘削して形成した凹部に設けられている。なお、この凹部の幅方向中央位置には、図２に示すような奥行き方向に沿った溝が掘削されており、この溝に沿うようにメッシュ管１０が配置されている。また、浸透貯留槽２の深さは任意であり、例えば２０ｃｍから１５０ｃｍ程度の深さで形成できる。また、浸透貯留槽２の面積は任意であり、この浸透貯留槽２による集水対象となる土壌の面積と、浸透貯留槽２の面積との面積比を２０：１から５０：１程度になるように設計しても良い。ここで、この浸透貯留槽２は、概略的に、メッシュ管１０、オーバーフロー管２０、遮水シート３０、下部層４０、中間層５０、上部層６０、及び植物保護材７０を備えている。
【００２２】
（構成−浸透貯留槽−メッシュ管）
メッシュ管１０は、浸透貯留槽２の底部に配設された送水管であって、浸透貯留槽２の内部に浸透した水を、当該メッシュ管１０に設けられた導水孔１１（後述する）を介して管内に導水して浸透貯留槽２の外部まで送水する送水管である。具体的には、このメッシュ管１０は、図２に示すように浸透貯留槽２から集水枡３に至るように地中に埋設された管状体である。そして、浸透貯留槽２側の方が集水枡３側よりも高位置となるように角度をつけて配置されており、このことにより浸透貯留槽２から集水枡３へと水が流れる構成となっている。なお、浸透貯留槽２側においては、上述したように凹部の幅方向中央に形成された溝に沿うようにメッシュ管１０が配置されている。ここで、メッシュ管１０の径は浸透貯留槽２の大きさや、推定の降雨量等に基づいて適宜決定して構わないが、本実施の形態では直径１００ｍｍの管を用いる。
【００２３】
ここで、このメッシュ管１０における浸透貯留槽２の内部に位置する部分には、浸透貯留槽２の内部に浸透した水を、メッシュ管１０の管内に導水するためのメッシュ状の導水孔１１が形成されている。なお、メッシュ管１０における集水枡３の内部に位置する部分や、浸透貯留槽２と集水枡３との間に位置する部分には、このような導水孔１１は形成されていなくても構わない。ここで、導水孔１１の形状は、上述したように水を管内に導水可能である限り任意であり、例えばスリット形状であっても構わない。また、導水孔径は、浸透貯留槽２の下部層４０（後述する）を構成する砂礫の径よりも小さく、このことにより管内に砂礫や土壌が侵入してメッシュ管１０が詰まってしまうことを防止できる。
【００２４】
なお、メッシュ管１０における前端部は開口となっており、管内を流れた水は、この開口から集水枡３へと流入する。また、メッシュ管１０における後端部はオーバーフロー管２０と一体に形成されており、オーバーフロー管２０の上端から流入した水が、メッシュ管１０に流入するようになっている。
【００２５】
（構成−浸透貯留槽−オーバーフロー管）
オーバーフロー管２０は、浸透貯留槽２の内部の水が溢れてしまうことを防止するための溢水防止手段である。このオーバーフロー管２０は、鉛直方向に沿って配置された円筒形状体であって、オーバーフロー管２０の上端は地上に露出しており、下端の側面はメッシュ管１０の端部に対して接続されている。そして、浸透貯留槽２に水が溢れた場合には、溢れた余剰の水がオーバーフロー管２０の上端の開口からオーバーフロー管２０の管内に浸入して、メッシュ管１０の管内を通って集水枡３へと導水される。ここで、オーバーフロー管２０の径は浸透貯留槽２の大きさや、推定の降雨量等に基づいて適宜決定して構わないが、本実施の形態では直径１００ｍｍの管を用いる。また、オーバーフロー管２０の配置や形状は、溢水を防止可能な限り任意で、例えば斜め方向に沿って配置されていても構わないし、湾曲していても構わない。
【００２６】
（構成−浸透貯留槽−遮水シート）
遮水シート３０は、地中における浸透貯留槽２の底面及び側面を被覆することにより、浸透貯留槽２の外枠を構成する遮水手段であって、浸透貯留槽２に浸透した水が、浸透貯留槽２の外部の地中に浸透してしまうことを抑制するための遮水手段である。具体的には、この遮水シート３０は、浸透貯留槽２の底面及び側面に加えて、浸透貯留槽２の側方にも略水平に延設されており、この側方に延設された部分の上には土壌が被せられている。ここで、この遮水シート３０の材料は、遮水可能な材料である限り任意で、例えばポリエチレン製のシートを用いても構わない。また、遮水シート３０は、完全に遮水する構成に限らず、一部の水（浸透貯留槽２に貯留し得ない余剰の水）を地中に逃す構成としてもよく、例えば遮水シート３０をメッシュ状にしても構わない。なお、浸透貯留槽２から外部の地中に水が浸透しても構わない場合には当該遮水シート３０を設けなくても構わない。
【００２７】
（構成−浸透貯留槽−下部層）
下部層４０は、メッシュ管１０を覆うように構成された層であって、導水孔１１の径よりも大きい径の粒子を含んで構成された砂礫である。この下部層４０は、上述したように設置対象箇所を掘削して形成された凹部の最も下方に位置する層であり、メッシュ管１０を覆うように配置されている。この下部層４０の粒子は、導水孔１１の径よりも大きい径の粒子を含む限り任意であるが、本実施の形態では径が１／１６ｍｍ以上の砂礫を用いる。また、下部層４０の厚みは任意であるが、メッシュ管１０の全体を覆うことが出来る厚みであることが好ましく、本実施の形態においては１００ｍｍ厚である。
【００２８】
（構成−浸透貯留槽−中間層）
中間層５０は、下部層４０の上方に積層された層であって、水を浄化可能な浄化土壌を含んで構成された層である。ここで、「浄化土壌」とは、水に含まれる不純物や汚染物質を軽減することが可能な土壌であって、材質等に限定はなく、例えば、バクテリア等の微生物を多く含む土壌であって、水に溶けた汚染物質等を微生物の増殖過程で浄化することが可能な土壌等を用いても構わない。
【００２９】
この中間層５０の厚みは任意で、本実施の形態では、浸透貯留槽２全体の厚みの５０％以上の厚みとなっている。ここで、この中間層５０は、砂層５１の上に混合層５２を積層した二重構造となっている。砂層５１は、粒径が２ｍｍ〜１／１６ｍｍの砂を敷設した層であり、混合層５２は、砂と浄化土壌を混合した土壌を敷設した層である。
【００３０】
（構成−浸透貯留槽−上部層）
上部層６０は、中間層５０の上方に積層された層であって、中間層５０よりも大きい径の粒子を含んで構成された層である。この上部層６０は、植物が植栽される層であって、雑草の繁茂防止や中間層５０への汚濁（後述する）５の流入防止のために形成されている。なお、植物は当該上部層６０を超えて中間層５０まで至るように植栽されていても構わないが、本実施の形態においては説明の便宜上、植物は上部層６０に植栽されているものとして説明する。
【００３１】
また、この上部層６０の厚みは任意で、本実施の形態では５ｃｍ厚となっているが、これに限らない。また、上部層６０の材質等に限定はなく、例えば、無機系又は有機系の土壌改良材等が混合された人工軽量土壌や、このような土壌改良材を用いない自然の土壌等で構成できる。また、この上部層６０の粒径は任意であるが、溢流を防止するためには水を多く保持可能なように間隙の多い（すなわち、粒径の大きい）土壌であることが好ましく、本実施の形態においては粒径が２ｍｍ以上の礫で構成されている。
【００３２】
（構成−浸透貯留槽−植物保護材）
植物保護材７０は、浸透貯留槽２に植栽された植物を保護するための植物保護手段である。この植物保護材７０は、上下に貫通する複数の孔を有するメッシュ状の板状体であって、植物が当該孔を通って植物保護材７０の上方に突出するように植栽されている。このように植物保護材７０を設置することにより、人や車等によって植物が踏まれて植物の生長点が傷つけられてしまうことを防止できる。なお、このような植物保護材７０の具体的な構成については公知の構成を採用できるため、詳細な説明を省略する。
【００３３】
（構成−集水枡）
集水枡３は、浸透貯留槽２に貯留された水を集水する集水手段である。この集水枡３は、上述したメッシュ管１０を介して浸透貯留槽２と接続されており、浸透貯留槽２に貯留された水が、メッシュ管１０の管内を介して集水枡３に流入するように構成されている。例えば本実施の形態では、図示のようにコ字状で上側が開放されているコンクリート製の雨水側溝であるものとするが、これに限らず例えば公知の修景池や雨水枡であっても良い。なお、この集水枡３の大きさや形状は任意で、浸透貯留槽２から流入する水の量等に応じて任意に決定できる。ここで、集水枡３は、概略的に回収枡８０と逆止弁９０を備えている。
【００３４】
（構成−集水枡−回収枡）
回収枡８０は、浸透貯留槽２に流入した水を回収するための回収手段である。この回収枡８０は集水枡３の内部に配置されており、回収枡８０の内部には浸透貯留槽２と同一の水位まで水が流入している。なお、回収枡８０の大きさや形状は任意であるが、本実施の形態では集水枡３に収まる大きさの直方体形状に形成されている。そして、浸透貯留槽２の内部に流入した水が、メッシュ管１０を介して、この回収枡８０の入口から回収枡８０の内部に流入し、回収枡８０の出口から集水枡３に至るように構成されている。なお、この回収枡８０の出口には後述する逆止弁９０が設けられており、この逆止弁９０によって、集水枡３から回収枡８０へと水が逆流することを防止している。
【００３５】
（構成−集水枡−逆止弁）
逆止弁９０は、集水枡３の内部に設けられた制御手段であって、集水枡３からメッシュ管１０を介して浸透貯留槽２へと水が逆流不可能な状態とする制御手段である。すなわち、集水枡３から浸透貯留槽２に水が逆流してしまうと、集水枡３の内部の水であって浸透貯留槽２によって浄化されていない水（すなわち、浸透貯留槽２を介さず直接集水枡３に流入した水等）がメッシュ管１０を通ってしまい、メッシュ管１０が詰まってしまう可能性がある。そこで、この逆止弁９０を回収枡８０の出口に設けて逆流を防止することにより、上記のような逆流を防止できる。
【００３６】
また、逆止弁９０は集水枡３の内部に配置されているので、貯留浄化システム１のメンテナンスを容易に行うことができる。すなわち、上記のような逆流を防止するための他の方法としては、浸透貯留槽２と集水枡３とをメッシュ管１０で接続せずに、浸透貯留槽２の近傍に埋設した回収枡８０の内部にポンプを設置し、このポンプで回収枡８０に溜まった水を汲み上げて集水枡３に送水する方法も考えられる。しかし、このような構成では、ポンプを回収枡８０の底部というスペースの少ない位置に設ける必要がありポンプのメンテナンスが困難になってしまう。また、回収枡８０の設置に手間や費用がかかってしまう。そこで、本実施の形態のようにスペースの多い集水枡３の内部に逆止弁９０を配置することで、十分なメンテナンススペースを確保することが可能となる。
【００３７】
また、この逆止弁９０は、集水枡３からメッシュ管１０を介して浸透貯留槽２へと水が逆流可能な状態と、逆流不可能な状態とを相互に切り換え可能とする。例えば、逆止弁９０にはバルブ（図示省略）が設けられており、このバルブを開放した際には水が逆流可能な状態（以下、「逆洗時」）となり、閉鎖した際には水が逆流不可能（以下、「通常時」）な状態となる。この逆止弁９０は手動の動作が可能であるが、電磁弁として構成することで遠隔制御を可能としても良い。なお、このような逆止弁９０の具体的な構成は公知であり、詳細な説明を省略する。
【００３８】
ここで、図３は、逆止弁９０の作用を説明するための図１におけるＡ−Ａ断面図であって、図３（ａ）は通常時、図３（ｂ）は逆洗時を示す図である。まず、図３（ａ）に示すように、通常時においては、雨水が浸透貯留槽２の上部層６０から下部層４０にかけて浸透してメッシュ管１０に至るので、雨水に含まれる汚濁５（例えば植物やゴミ等）等は、徐々に浸透貯留槽２の上部層６０に蓄積する。
【００３９】
一方、図３（ｂ）に示すように、逆洗時においては、集水枡３の水位が浸透貯留槽２の水位（回収枡８０の水位）よりも高い場合には、集水枡３の水が水圧で逆流する。この逆流した水によって、上層部に蓄積した汚濁５を浮かすことができる。このように汚濁５を浮かした後に、上層部をブラシ等で擦って浮いた汚濁５を除去したり、浮いた汚濁５をポンプ等で吸引して回収したりすることにより、浸透貯留槽２を容易に清掃することができる。この際に、上層部は上述したように中間層５０よりも粒子径が大きく粒子の間隙が大きい礫等で構成されているので、逆洗時の水位上昇によって粒子の間隙を水が通りやすく、この間隙に挟まった汚泥等を好適に浮かすことができる。このように、上層部に汚泥が蓄積したと判断した場合（例えば、目視で汚泥を確認した場合や、汚泥により浸透貯留槽２の水の流れが悪くなったことを公知のセンサー等で検知した場合等）に、逆止弁９０のバルブを開放して逆洗を行うことで、定期的な清掃を容易に行うことができる。
【００４０】
（施工方法）
続いて、本実施の形態に係る貯留浄化システム１の施工方法について説明する。図４は施工方法のフローチャートである。なお、この施工方法に関与する者（実際に現場で施工を行う者や施工を管理する者を含む）を総称して以下では「施工者」と称して説明する。
【００４１】
ＳＡ１において、まず施工者は集水面積を決定し、次にＳＡ２において、集水枡３からの水の放流先を決定する。なお、これらの集水面積、及び放流先については、貯留浄化システム１を適用する敷地の周囲環境に基づいて適宜決定する。
【００４２】
ＳＡ３において、雨水排水計画を決定する。以下ではその一例を示す。具体的には、本実施の形態では下記式（１）を満たすように、計画雨量や保水可能量を決定する。
Ｂ≧Ｑ×０．２・・・・（１）
ここで、
Ｑ＝計画雨量［ｍ３／ｓｅｃ］
Ｂ＝保水可能量［ｍ３］
【００４３】
ここで、計画雨量Ｑは例えば下記式（２）で求めることができる。
Ｑ＝１／３６０×Ｃ×Ｉ×Ａ・・・・（２）
ここで、
Ｑ＝計画雨量［ｍ３／ｓｅｃ］
Ｃ＝流出係数
Ｉ＝降雨強度［ｍｍ／ｈｒ］
Ａ＝集水面積［ｈａ］
【００４４】
また、保水可能量Ｂは例えば下記式（３）で求めることができる。
Ｂ＝Ｖ×α・・・・（３）
ここで、
Ｂ＝保水可能量［ｍ３］
Ｖ＝浸透貯留槽２の下部層４０、中間層５０、及び上部層６０の合計の体積［ｍ３］
α＝間隙率
【００４５】
なお、保水可能量Ｂは例えば下記式（４）で求めても構わない。
Ｂ＝Ａ×ｔ×ｖ×１００
ここで、
Ｂ＝保水可能量［ｍ３］
Ａ＝集水面積［ｍ２］
ｔ＝想定降水時間［ｈｒ］
ｖ＝浸透速度［ｍ／ｈｒ］
【００４６】
ＳＡ４において、浸透貯留槽２の施工面積を設定し、植物種の設定を行う。なお、浸透貯留槽２の施工面積については任意であるが、例えば上述したように集水対象となる土壌の面積と浸透貯留槽２の施工面積との面積比を２０：１から５０：１程度にしても構わない。また植物種についても任意であるが、本実施の形態のように灌水設備を設けない場合には乾燥に強い植物（グラス植物等）が好ましい。
【００４７】
ＳＡ５において、設置構造等を設定する。具体的には、浸透貯留槽２の下部層４０、中間層５０、上部層６０に用いる土壌や槽の深さ、メッシュ管１０の径や配設位置、集水枡３の形状、及び逆止弁９０の配置等を設定する。
【００４８】
ＳＡ６において、ＳＡ４で設定した浸透貯留槽２の施工面積及び植物種に基づいて試験装置を作成し、この試験装置を用いて検証を行う。この試験装置は、本施工時において使用する植物や土壌と同一のものを用いる。具体的には、浸透貯留槽２に見立てた枡に、ＳＡ５において設定した設置構造（下部層４０、中間層５０、上部層６０、メッシュ管１０等）を設け、上部層６０にはＳＡ４において設定した植物種を植栽する。ここで、この試験装置の植物として、本施工用に予め培養しておいた植物を用いると共に、試験装置の設置構造として、本施工用の土壌と同一の土壌を用いることにより、本施工時と極めて近い条件下で検証を実施することができ、より本施工時に近いデータを得ることができる。また、このように本施工時に近いデータを得ることができれば、土壌に適した植物を事前に選定することができるので、植物の枯死率低下も図ることができる。なお、検証の具体的な方法は任意で、例えば上部層６０の上から放水して、メッシュ管１０へと流入する水の水温、水量、及び水質等を調べても構わない。また、検証結果に基づいて、選定した植物の育成方法や、浸透貯留槽２及び集水枡３の清掃方法、清掃周期等といった貯留浄化システム１の維持管理方法も併せて検討する。
【００４９】
ＳＡ７において、ＳＡ６の試験装置を用いた検証結果に基づいて、施工面積を決定し、植物種を決定する。また、ＳＡ８において、ＳＡ６の試験装置を用いた検証結果に基づいて、設置構造を決定する。
【００５０】
ＳＡ９において、ＳＡ７及びＳＡ８において決定した内容に基づいて実際に施工を行う。また、ＳＡ１０において、維持管理方法の決定を行う。以上にて、本実施の形態に係る貯留浄化システム１の施工方法の説明を終了する。
【００５１】
（実施の形態の効果）
このような本実施の形態に係る貯留浄化システム１によれば、メッシュ管１０、下部層４０、中間層５０、及び上部層６０を有する浸透貯留槽２を備え、上部層６０を中間層５０よりも大きい径の粒子を含んで構成するので、水が集水枡３に至る前段階において水の貯留及び浄化を行うことができると共に、浸透貯留槽２の内部に入り込んだ汚濁５を容易に除去可能となる。
【００５２】
また、逆止弁９０が、浸透貯留槽２へと水が逆流不可能な状態とするので、集水枡３の内部の浄化されていない水が浸透貯留槽２に逆流してしまうことを防止することが可能であると共に、集水枡３の内部という、浸透貯留槽２の底部よりも外部からアクセスし易い位置に逆止弁９０を配置するので、逆止弁９０のメンテナンス性を向上させることが可能となる。また、集中豪雨が予想される数時間前に、（豪雨発生前に浸透貯留槽２内に水があれば）、事前に集水枡３の内部の水を空にしておくことで、排水を始めて待機し、豪雨時には、浸透貯留槽２や植栽される植物の涵養能力で、下流側へ与える負荷を軽減することも可能となる。
【００５３】
また、逆止弁９０が、浸透貯留槽２へと水が逆流可能な状態とすることができるので、浸透貯留槽２に水を溢れさせて浸透貯留槽２の汚濁５を浮かせることにより、浸透貯留槽２を洗浄することが可能となる。
【００５４】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５５】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、各実施の形態に係る貯留浄化システム１によって、内部に入り込んだ汚濁５を従来技術と同程度しか容易に除去できない場合であっても、従来と異なる技術により水の貯留及び浄化を行うことが出来ている場合には、本願発明の課題が解決されている。
【００５６】
（寸法や材料について）
発明の詳細な説明や図面で説明した貯留浄化システム１の各部の寸法、形状、材料、比率等は、あくまで例示であり、その他の任意の寸法、形状、材料、比率等とすることができる。
【００５７】
（逆洗について）
本実施の形態においては逆止弁９０により逆流が可能な状態と不可能な状態とを切換え可能としたが、これに限らない。例えば、逆止弁９０の代わりに、電動制御可能な電磁弁を用いても構わない。なお、当該電磁弁を、浸透貯留槽２や集水枡３に設けられた各種センサーにて検出された情報に基づいて自動で制御しても構わない。例えば、浸透貯留槽２や集水枡３の水位を測定する水位計からの信号に応じて、自動で逆流可能な状態と逆流不可能な状態とを相互に切り換え可能としても構わない。また、上部層６０に蓄積した汚濁５を検出するセンサーからの信号に基づいて、上部層６０に蓄積した汚濁５が所定量を超えた場合に逆洗を行っても構わない。
【００５８】
また、本実施の形態においては、集水枡３の水を浸透貯留槽２に逆流させることにより逆洗を行ったが、浸透貯留槽２の水位を上昇させることが可能である限り、これに限らない。例えば、浸透貯留槽２の内部に集水枡３以外の箇所から水を流入させても良い。
【００５９】
（浸透貯留槽について）
本実施の形態においては、浸透貯留槽２から集水枡３へと水が流入する構成としたが、これに限らず、複数の浸透貯留槽２を設けて一の浸透貯留槽２から他の浸透貯留槽２へと水が流入する構成としても構わない。図５は、変形例に係る貯留浄化システム１００を示す図である。この図５に示すように、本変形例に係る貯留浄化システム１００は、第一浸透貯留槽１１０、第二浸透貯留槽１２０、第三浸透貯留槽１３０、及び集水枡１４０を備えて構成されている。
【００６０】
ここで、これら各構成要素の設置位置は任意であるが、本変形例においては、第二浸透貯留槽１２０は、第一浸透貯留槽１１０と同一の建築物における、第一浸透貯留槽１１０よりも下方の階に配置されている。具体的には、第一浸透貯留槽１１０は建築物の３階ベランダＶ３に設けられており、第二浸透貯留槽１２０は建築物の２階ベランダＶ２に設けられている。そして、第一浸透貯留槽１１０のメッシュ管（図示省略）の先は図示のように２階の縦雨樋１５０、及び横雨樋１６０に順次接続されており、このことにより、第一浸透貯留槽１１０の外部に送水された水が、２階の縦雨樋１５０及び横雨樋１６０を介して第一浸透貯留槽１１０に流入する。このように、実施の形態の浸透貯留槽１に対応する構成要素を設けることにより、水を分散させて貯留することが可能となる。また、第三浸透貯留槽１３０は、第一浸透貯留槽１１０及び第二浸透貯留槽１２０が設けられた建築物の側方の歩道Ｗに配置されており、第二浸透貯留槽１２０から送水された水が当該第三浸透貯留槽１３０に流入する。なお、当該第三浸透貯留槽１３０は、実施の形態と同様にメッシュ管（図示省略）を介して集水枡１４０に接続されている。
【００６１】
このような本変形例に係る貯留浄化システム１００によれば、第一浸透貯留槽１１０のメッシュ管（図示省略）から第一浸透貯留槽１１０の外部に送水された水が、第二浸透貯留槽１２０に流入するように構成するので、浸透貯留槽を複数箇所に分散配置してそれぞれの浸透貯留槽を小型化することが可能となると共に、第一浸透貯留槽１１０で浄化済みの水を第二浸透貯留槽１２０に取り入れることができ、第二浸透貯留槽１２０における目詰まりの発生等を防止できる。
【００６２】
また、第二浸透貯留槽１２０を、第一浸透貯留槽１１０と同一の建築物における、第一浸透貯留槽１１０よりも下方の階に配置するので、浸透貯留槽により浄化された水が、建築物の上階から下階に向かって流れる構成とすることができる。
【００６３】
（付記）
付記１の貯留浄化システムは、集水枡へと送水される水を、当該水が集水枡に至る前段階において貯留して浄化する浸透貯留槽を備え、前記浸透貯留槽は、前記浸透貯留槽の底部に配設された送水管であって、浸透貯留槽の内部に浸透した水を、当該送水管に設けられた導水孔を介して管内に導水して前記浸透貯留槽の外部まで送水する送水管と、前記送水管を覆うように構成された下部層であって、前記導水孔の径よりも大きい径の粒子を含んで構成された下部層と、前記下部層の上方に積層された中間層であって、水を浄化可能な浄化土壌を含んで構成された中間層と、前記中間層の上方に積層された上部層であって、前記中間層の粒子よりも大きい径の粒子を含んで構成された上部層と、を有する。
【００６４】
付記２の貯留浄化システムは、付記１に記載の貯留浄化システムにおいて、前記集水枡の内部に設けられた制御手段であって、前記集水枡から前記送水管を介して前記浸透貯留槽へと水が逆流不可能な状態とする制御手段を備える。
【００６５】
付記３の貯留浄化システムは、付記１又は２に記載の貯留浄化システムにおいて、前記浸透貯留槽は、第一浸透貯留槽及び第二浸透貯留槽を備え、前記第一浸透貯留槽の前記送水管から前記第一浸透貯留槽の外部に送水された水が、前記第二浸透貯留槽に流入するように構成される。
【００６６】
付記４の貯留浄化システムは、付記３に記載の貯留浄化システムにおいて、前記第二浸透貯留槽は、前記第一浸透貯留槽と同一の建築物における、前記第一浸透貯留槽よりも下方の階に配置される。
【００６７】
付記５の貯留浄化システムは、付記２に記載の貯留浄化システムにおいて、前記制御手段は、前記集水枡から前記送水管を介して前記浸透貯留槽へと水が逆流可能な状態と、逆流不可能な状態とを相互に切り換え可能とする。
【００６８】
（付記の効果）
付記１に記載の貯留浄化システムによれば、送水管、下部層、中間層、及び上部層を有する浸透貯留槽を備え、上部層を中間層よりも大きい径の粒子を含んで構成するので、水が集水枡に至る前段階において水の貯留及び浄化を行うことができると共に、浸透貯留槽の内部に入り込んだ汚濁を容易に除去可能となる。
【００６９】
付記２に記載の貯留浄化システムによれば、制御手段が、浸透貯留槽へと水が逆流不可能な状態とするので、集水枡の内部の浄化されていない水が浸透貯留槽に逆流してしまうことを防止することが可能であると共に、集水枡の内部という、浸透貯留槽の底部よりも外部からアクセスし易い位置に制御手段を配置するので、制御手段のメンテナンス性を向上させることが可能となる。また、集中豪雨が予想される数時間前に、（豪雨発生前に浸透貯留槽内に水があれば）、事前に集水枡の内部の水を空にしておくことで、排水を始めて待機し、豪雨時には、浸透貯留槽や植栽される植物の涵養能力で、下流側へ与える負荷を軽減することも可能となる。
【００７０】
付記３に記載の貯留浄化システムによれば、第一浸透貯留槽の送水管から第一浸透貯留槽の外部に送水された水が、第二浸透貯留槽に流入するように構成するので、浸透貯留槽を複数箇所に分散配置してそれぞれの浸透貯留槽を小型化することが可能となると共に、第一浸透貯留槽で浄化済みの水を第二浸透貯留槽に取り入れることができ、第二浸透貯留槽における目詰まりの発生等を防止できる。
【００７１】
付記４に記載の貯留浄化システムによれば、第二浸透貯留槽を、第一浸透貯留槽と同一の建築物における、第一浸透貯留槽よりも下方の階に配置するので、浸透貯留槽により浄化された水が、建築物の上階から下階に向かって流れる構成とすることができる。
【００７２】
付記５に記載の貯留浄化システムによれば、制御手段が、浸透貯留槽へと水が逆流可能な状態とすることができるので、浸透貯留槽に水を溢れさせて浸透貯留槽の汚濁を浮かせることにより、浸透貯留槽を洗浄することが可能となる。
【符号の説明】
【００７３】
１  貯留浄化システム
２  浸透貯留槽
３  集水枡
４  地表面
５  汚濁
１０  メッシュ管
１１  導水孔
２０  オーバーフロー管
３０  遮水シート
４０  下部層
５０  中間層
５１  砂層
５２  混合層
６０  上部層
７０  植物保護材
８０  回収枡
９０  逆止弁
１００  貯留浄化システム
１１０  第一浸透貯留槽
１２０  第二浸透貯留槽
１３０  第三浸透貯留槽
１４０  集水枡
１５０  縦雨樋
１６０  横雨樋
Ｖ２  ２階ベランダ
Ｖ３  ３階ベランダ
Ｗ  歩道
【図１】
0006621653.tif 000002
【図２】
0006621653.tif 000003
【図３】
0006621653.tif 000004
【図４】
0006621653.tif 000005
【図５】
0006621653.tif 000006